(57)【特許請求の範囲】
【請求項１】
受信したテレビジョン信号をテレビジョンの中間周波数帯の信号に周波数変換すると共に、受信したＦＭ放送信号を前記中間周波数帯における音声中間周波数の信号に周波数変換する混合器と、前記中間周波数帯に同調する中間周波同調回路とを備え、前記中間周波同調回路を、前記テレビジョン信号受信時に、前記中間周波数帯における映像中間周波数と音声中間周波数との間に同調させ、前記ＦＭ放送受信時に、前記音声中間周波数に同調させることを特徴とするテレビジョンチューナ。
【請求項２】
前記中間周波同調回路に、第一のトラップ回路と第二のトラップ回路を接続し、前記テレビジョン信号受信時には前記第一のトラップ回路のトラップ周波数を一方の隣接テレビジョンチャンネルの音声中間周波数に設定し、前記第二のトラップ回路のトラップ周波数を他方の隣接テレビジョンチャンネルの映像中間周波数に設定し、前記ＦＭ放送受信時には、前記第一のトラップ回路のトラップ周波数を、前記受信したＦＭ放送信号と前記受信したＦＭ放送信号に隣接する一方のＦＭ放送信号との周波数差だけ前記音声中間周波数から離れた周波数に設定し、前記第二のトラップ回路のトラップ周波数を、前記受信したＦＭ放送信号と前記受信したＦＭ放送信号に隣接する他方のＦＭ放送信号との周波数差だけ前記音声中間周波数から離れた周波数に設定したことを特徴とする請求項１に記載のテレビジョンチューナ。
【請求項３】
前記中間周波同調回路に、前記中間周波同調回路の同調周波数を設定するための第一のバラクタダイオードを設け、前記第一のトラップ回路に前記第一のトラップ回路のトラップ周波数を設定するための第二のバラクタダイオードを設け、前記第二のトラップ回路に前記第二のトラップ回路のトラップ周波数を設定するための第三のバラクタダイオードを設け、前記第一のバラクタダイオードと前記第二のバラクタダイオードと前記第三のバラクタダイオードとに共通のバイアス電圧を印加し、前記バイアス電圧を前記テレビジョン信号受信時と前記ＦＭ放送受信時とで切り替えることを特徴とする請求項２に記載のテレビジョンチューナ。
【請求項４】
前記中間周波同調回路と前記第一のトラップ回路と前記第二のトラップ回路とをそれぞれ並列同調回路で構成し、前記中間周波同調回路の両端に、前記中間周波数帯の信号及び前記音声中間周波数の信号を平衡状態で入力し、前記中間周波同調回路の一端に前記第一のトラップ回路の一端を接続し、前記中間周波同調回路の他端に前記第二のトラップ回路の一端を接続し、前記第一のトラップ回路及び第二のトラップ回路の他端から前記中間周波数帯の信号及び前記音声中間周波数の信号を平衡状態で出力することを特徴とする請求項３に記載のテレビジョンチューナ。
【発明の詳細な説明】
【０００１】
【発明の属する技術分野】
本発明はテレビジョンチューナに係わり、詳しくはＦＭ放送信号を受信可能にしたテレビジョンチューナーの中間周波回路に係わる。
【０００２】
【従来の技術】
従来のテレビジョンチューナは、例えば図８に示すように、受信したテレビジョン信号をテレビジョンの中間周波数帯の信号に周波数変換すると共に、受信したＦＭ放送信号を中間周波数帯における音声中間周波数の信号に周波数変換する平衡出力型の混合器３１と、中間周波数帯に同調する中間周波同調回路３２と、中間周波同調回路３２の一端に、その一端が接続された第一のトラップ回路３３と、中間周波同調回路３２の他端に接続された第二のトラップ回路３４と、結合コンデンサ３５及び３６を介して第一のトラップ回路３３と第二のトラップ回路３４との各他端に接続された平衡入力型の中間周波増幅器（ＩＦ  ＡＭＰ）３７とからなる中間周波回路を有している。
【０００３】
中間周波同調回路３２は、コンデンサ３２ａと、互いに直列接続されたインダクタ３２ｂ及び３２ｃとからなる並列同調回路で構成され、中間周波数帯における映像中間周波数と音声中間周波数との間に同調する。そしてその両端に中間周波信号が入力される。また混合器３１には、インダクタ３２ｂと３２ｃとの接続点に印加された電源電圧Ｖｂがインダクタ３２ｂ及び３２ｃを介して供給される。第一のトラップ回路３３はコンデンサ３３ａとインダクタ３３ｂとからなる並列同調回路で構成され、その同調周波数（トラップ周波数）を、受信するテレビジョンチャンネルにおける映像搬送波周波数と一方の隣接テレビジョンチャンネルの音声搬送波周波数との差の周波数だけ中間周波数帯おける映像中間周波数Ｐから高い方に離れた周波数Ｓ’に設定している。また、前記第二のトラップ回路３４はコンデンサ３４ａとインダクタ３４ｂとからなる並列同調回路で構成され、その同調周波数（トラップ周波数）を、受信するテレビジョンチャンネルにおける音声搬送波周波数と他方の隣接テレビジョンチャンネルの映像搬送波周波数との差の周波数だけ中間周波数帯おける音声中間周波数Ｓから低い方に離れた周波数Ｐ’に設定している。
【０００４】
この結果、中間周波数帯における伝送特性は図９に示すようになり、これらのトラップ周波数Ｓ’，Ｐ’はテレビジョン信号受信時と前記ＦＭ放送信号受信時とに係わらず固定である。
【０００５】
【発明が解決しようとする課題】
上記のような従来のテレビジョンチューナでは、中間周波同調回路の同調周波数は、図９に示すように、少なくとも中間周波数帯の映像搬送波周波数Ｐと音声搬送波周波数Ｓとの間に設定されており、そのため音声搬送波周波数Ｓは同調周波数からずれており、音声搬送波周波数Ｓにおけるレベルは同調周波数におけるレベルに比べて減衰しているという伝送特性になっていた。そのため、テレビジョン信号受信時には良好な伝送特性が得られるが、ＦＭ放送信号受信時には本来最も重要な音声中間周波数のレベルが減衰して、良好な選択特性が得られなくなってしまっていた。また、図９に示すように、第一のトラップ回路３３及び第二のトラップ回路３４のトラップ周波数Ｓ’，Ｐ’が固定であるため、ＦＭ放送信号受信時における隣接ＦＭ放送信号に対する良好な抑圧特性が得られなくなってしまっていた。
【０００６】
本発明はこのような問題に鑑みてなされたもので、ＦＭ放送信号受信時にも音声中間周波数における伝送特性が良好なものとなるテレビジョンチューナを提供することを目的とするものである。
【０００７】
【課題を解決するための手段】
前記目的を達成するため、本発明では受信したテレビジョン信号をテレビジョンの中間周波数帯の信号に周波数変換すると共に、受信したＦＭ放送信号を前記中間周波数帯における音声中間周波数の信号に周波数変換する混合器と、前記中間周波数帯に同調する中間周波同調回路とを備え、前記中間周波同調回路を、前記テレビジョン信号受信時に、前記中間周波数帯における映像中間周波数と音声中間周波数との間に同調させ、前記ＦＭ放送受信時に、前記音声中間周波数に同調させることができる。
【０００８】
また、前記中間周波同調回路に、第一のトラップ回路と第二のトラップ回路とを接続し、前記テレビジョン信号受信時には前記第一のトラップ回路のトラップ周波数を一方の隣接テレビジョンチャンネルの音声中間周波数に設定し、前記第二のトラップ回路のトラップ周波数を他方の隣接テレビジョンチャンネルの映像中間周波数に設定し、前記ＦＭ放送受信時には、前記第一のトラップ回路のトラップ周波数を、前記受信したＦＭ放送信号と前記受信したＦＭ放送信号に隣接する一方のＦＭ放送信号との周波数差だけ前記音声中間周波数から離れた周波数に設定し、前記第二のトラップ回路のトラップ周波数を、前記受信したＦＭ放送信号と前記受信したＦＭ放送信号に隣接する他方のＦＭ放送信号との周波数差だけ前記音声中間周波数から離れた周波数に設定することができる。
【０００９】
また、前記中間周波同調回路に、前記中間周波同調回路の同調周波数を設定するための第一のバラクタダイオードを設け、前記第一のトラップ回路に前記第一のトラップ回路のトラップ周波数を設定するための第二のバラクタダイオードを設け、前記第二のトラップ回路に前記第二のトラップ回路のトラップ周波数を設定するための第三のバラクタダイオードを設け、前記第一のバラクタダイオードと前記第二のバラクタダイオードと前記第三のバラクタダイオードとに共通のバイアス電圧を印加し、前記バイアス電圧を前記テレビジョン信号受信時と前記ＦＭ放送受信時とで切り替えることができる。
【００１０】
また、前記中間周波同調回路と前記第一のトラップ回路と前記第二のトラップ回路とをそれぞれ並列同調回路で構成し、前記中間周波同調回路の両端に、前記中間周波数帯の信号及び前記音声中間周波数の信号を平衡状態で入力し、前記中間周波同調回路の一端に前記第一のトラップ回路の一端を接続し、前記中間周波同調回路の他端に前記第二のトラップ回路の一端を接続し、前記第一のトラップ回路及び第二のトラップ回路の他端から前記中間周波数帯の信号及び前記音声中間周波数の信号を平衡状態で出力することを特徴とする。
【００１１】
【発明の実施の形態】
本発明のテレビジョンチューナの実施の形態を図１乃至図７を参照して説明する。
【００１２】
図１は本発明の第一の実施の形態を示すテレビジョンチューナの回路図である。高周波回路部（図示せず）で受信されたテレビジョン信号は混合器１に入力され、局部発振回路（図示せず）からの発振信号により、中間周波数帯の信号に周波数変換される。同様に高周波回路部で受信されたＦＭ放送信号は同じく局部発振回路からの発振信号により、中間周波数帯における音声中間周波数の信号に周波数変換される。これらの信号は混合器１から平衡状態で出力される。周波数変換された中間周波数帯の信号又は音声中間周波数の信号は中間周波同調回路２の両端に入力される。
【００１３】
中間周波同調回路２は、コンデンサ２ａと、互いに直列接続されたインダクタ２ｂ、２ｃと、互いに直列接続された第一のバラクタダイオード２ｅとコンデンサ２ｄとからなる並列同調回路で構成される。そして中間周波同調回路２の両端には直流カット用のコンデンサ６及び７を介して平衡入力型の中間周波増幅器（ＩＦ  ＡＭＰ）５が接続される。
【００１４】
また混合器１には、インダクタ２ｂと２ｃとの接続点に印加された電源電圧Ｖｂがインダクタ２ｂ及び２ｃを介して供給される。そして第一のバラクタダイオード２ｅのカソードにはインダクタ２ｂを介して電圧Ｖｂが印加される。また第一のバラクタダイオード２ｅのアノードには切替えスイッチ８を介してバイアス電圧Ｖｅ又は０Ｖの電圧が加わるようになっている。
【００１５】
テレビジョン信号及びＦＭ放送信号の受信の切替え動作に関して、以下に説明を行う。テレビジョン信号受信時には、切替えスイッチ８によって第一のバラクタダイオード２ｅのアノードが接地される。このため、第一のバラクタダイオード２ｅには、電圧Ｖｂがそのままバイアス電圧として加わる。ここで電圧Ｖｂは混合器１の電源電圧でもあり、その電圧値は比較的大きな値である。従って、テレビジョン信号受信時に、第一のバラクタダイオード２ｅの両端には比較的大きなバイアス電圧が加わり、その両端間の容量は比較的小さな値となる。この時の中間周波同調回路２の同調周波数は映像中間周波数Ｐと音声中間周波数Ｓとの中間の周波数となるように設定されている。
【００１６】
一方、ＦＭ放送信号受信時には、切替えスイッチ８によって第一のバラクタダイオード２ｅのアノードにはバイアス電圧Ｖｅが印加されて、その両端には電圧Ｖｂと電源Ｖｅの電圧との差の電圧が加わる。ここで、電源Ｖｅの電圧値は電圧Ｖｂの電圧値に比較的近い値（但しＶｂ＞Ｖｅ）に設定されている。従って、ＦＭ放送信号受信時に、第一のバラクタダイオード２ｅの両端には比較的小さなバイアス電圧が加わり、第一のバラクタダイオード２ｅの両端間の容量は比較的大きな値となる。この時の中間周波同調回路２の同調周波数は音声中間周波数Ｓとなるように設定されている。この結果、テレビジョン信号受信時の同調周波数はＦＭ放送信号受信時の同調周波数よりも高くなる。
【００１７】
ここで、テレビジョン信号受信時における同調周波数は、コンデンサ２ａの容量とインダクタ２ｂのインダクタンスとインダクタ２ｃのインダクタンスとコンデンサ２ｄの容量とを、バラクタダイオード２ｅの両端間の容量を加味して、図２に示すように設定される。一方、ＦＭ放送信号受信時における同調周波数は、バラクタダイオード２ｅの両端間の容量を加味した電圧Ｖｅの値によって図３に示すように設定される。
【００１８】
前述したように、テレビジョン信号受信時には、中間周波同調回路の同調周波数を少なくとも中間周波帯における映像中間周波数Ｐと音声中間周波数Ｓとの間の周波数に設定することにより、テレビジョン信号受信のための良好な選択特性が得られる。また、ＦＭ放送信号受信時には、中間周波同調回路の同調周波数を中間周波帯における音声中間周波数Ｓに設定するため、ＦＭ放送信号受信のための良好な選択特性が得られる。
【００１９】
図４は本発明の第二の実施の形態を示すテレビジョンチューナの回路図である。高周波回路部（図示せず）で受信されたテレビジョン信号は混合器１に入力され、局部発振回路（図示せず）からの発振信号により、中間周波数帯の信号に周波数変換される。同様に高周波回路部で受信されたＦＭ放送信号は同じく局部発振回路からの発振信号により、中間周波数帯における音声中間周波数の信号に周波数変換される。これらの信号は混合器１から平衡状態で出力される。
【００２０】
周波数変換された中間周波数帯の信号又は音声中間周波数の信号は中間周波同調回路２の両端に入力される。中間周波同調回路２は、コンデンサ２ａと、互いに直列接続されたインダクタ２ｂ及び２ｃと、互いに直列接続された第一のバラクタダイオード２ｅ及びコンデンサ２ｄとからなる並列同調回路で構成される。また混合器１には、インダクタ２ｂと２ｃとの接続点に印加された電源電圧Ｖｂがインダクタ２ｂ及び２ｃを介して供給される。
【００２１】
そして中間周波同調回路２の両端には第一のトラップ回路３と第二のトラップ回路４との各一端が接続される。第一のトラップ回路３は、互いに直列接続された第二のバラクタダイオード３ｃ及びコンデンサ３ａと、互いに直列接続されたインダクタ３ｂ及びコンデンサ３ｄとからなる並列同調回路で構成されている。また第二のトラップ回路４は、互いに直列接続された第三のバラクタダイオード４ｃ及びコンデンサ４ａと、互いに直列接続されたインダクタ４ｂ及びコンデンサ４ｄとからなる並列同調回路で構成されている。第一のトラップ回路３と第二のトラップ回路４との各他端には平衡入力型の中間周波増幅器（ＩＦ  ＡＭＰ）５が接続される。
【００２２】
そして第一のバラクタダイオード２ｅのカソード及び第二のバラクタダイオード３ｃのカソードにはインダクタ２ｂを介して、また第三のバラクタダイオード４ｃのカソードにはインダクタ２ｃを介して電圧Ｖｂが印加される。そして第一のバラクタダイオード２ｅのアノード及び第二のバラクタダイオード３ｃのアノード及び第三のバラクタダイオード４ｃのアノードには切替えスイッチ８を介してバイアス電圧Ｖｅ又は０Ｖの電圧が加わるようになっている。
【００２３】
テレビジョン信号受信時には、切替えスイッチ８によって、第一及び第二及び第三のバラクタダイオード２ｅ及び３ｃ及び４ｃのそれぞれのアノードは接地される。このため、第一及び第二及び第三のバラクタダイオード２ｅ及び３ｃ及び４ｃのそれぞれの両端には、電源Ｖｂの比較的大きな電圧がそのままバイアス電圧として加わり、第一及び第二及び第三のバラクタダイオード２ｅ及び３ｃ及び４ｃの各両端間の容量は比較的小さな値となる。この時の中間周波同調回路２の同調周波数は図２と同様に、少なくとも中間周波帯における映像中間周波数Ｐと音声中間周波数Ｓとの間の周波数に設定されている。
【００２４】
また、第一のトラップ回路３において、コンデンサ３ａ及び３ｄの容量とインダクタ３ｂのインダクタンスとを、第二のバラクタダイオード３ｃの両端間の容量を加味しながら適宜に選ぶことによって、図５に示すように、その同調周波数（トラップ周波数）を、受信するテレビジョンチャンネルにおける映像搬送波周波数と一方の隣接テレビジョンチャンネルの音声搬送波周波数との差の周波数だけ中間周波帯における映像中間周波数Ｐから高い方に離れた周波数（以下、一方の隣接テレビジョンチャンネルの音声中間周波数と言う）Ｓ’に設定する。
【００２５】
また、第二のトラップ回路４において、コンデンサ４ａ及び４ｄの容量とインダクタ４ｂのインダクタンスとを、第三のバラクタダイオード４ｃの両端間の容量を加味しながら適宜に選ぶことによって、図５に示すように、その同調周波数（トラップ周波数）を、受信するテレビジョンチャンネルにおける音声搬送波周波数と他方の隣接テレビジョンチャンネルの映像搬送波周波数との差の周波数だけ中間周波帯における音声中間周波数Ｓから低い方に離れた周波数（以下、他方の隣接テレビジョンチャンネルの映像中間周波数と言う）Ｐ’に設定する。
【００２６】
一方、ＦＭ放送信号受信時には、切替えスイッチ８によって第一及び第二及び第三のバラクタダイオード２ｅ及び３ｃ及び４ｃのカソードにはバイアス電圧Ｖｅを印加することで、各両端には電源Ｖｂの電圧と電源Ｖｅの電圧との差の電圧が加わる。ここで、電源Ｖｅの電圧値は電源Ｖｂの電圧値に比較的近い値（但しＶｂ＞Ｖｅ）に設定されており、従ってＦＭ放送信号受信時に、第一及び第二及び第三のバラクタダイオード２ｅ及び３ｃ及び４ｃの各両端には比較的小さなバイアス電圧が加わり、第一及び第二及び第三のバラクタダイオード２ｅ及び３ｃ及び４ｃの各両端間の容量は比較的大きな値となる。この結果、中間周波同調回路２の同調周波数は、図３と同様に音声中間周波数Ｓになるように設定される。
【００２７】
また第一のトラップ回路３のトラップ周波数を、受信したＦＭ放送信号とそれに隣接する一方のＦＭ放送信号との周波数差だけ音声中間周波数Ｓから高い方に離れた周波数Ｓ＋に設定する。そして第二のトラップ回路４のトラップ周波数を、受信したＦＭ放送信号とそれに隣接する他方のＦＭ放送信号との周波数差だけ音声中間周波数Ｓから低い方に離れた周波数Ｓ−に設定する。上記周波数Ｓ＋及びＳ−の設定は、第一のバラクタダイオード２ｅと共に、第二及び第三のバラクタダイオード３ｃ及び４ｃの各両端間の容量を加味したバイアス電圧Ｖｅの値によって設定される。
【００２８】
前述したように、テレビジョン信号受信時には、中間周波同調回路２の同調周波数を少なくとも中間周波帯における映像中間周波数Ｐと音声中間周波数Ｓとの間の周波数に設定すること、及び第一のトラップ回路３のトラップ周波数を一方の隣接テレビジョンチャンネルの音声中間周波数Ｓ’に設定し、第二のトラップ回路のトラップ周波数を他方の隣接テレビジョンチャンネルの映像中間周波数Ｐ’に設定することにより、テレビジョン信号受信ための良好な選択特性及び隣接テレビジョンチャンネルのテレビジョン信号に対する抑圧特性を得ることができる。
【００２９】
またＦＭ放送信号受信時には、中間周波同調回路２の同調周波数を中間周波帯における音声中間周波数Ｓに設定し、また第一のトラップ回路３のトラップ周波数を、受信したＦＭ放送信号と隣接する一方のＦＭ放送信号との周波数差だけ音声中間周波数Ｓから高い方に離れた周波数Ｓ＋に設定し、そして第二のトラップ回路４のトラップ周波数を、受信したＦＭ放送信号と受信したＦＭ放送信号に隣接する他方のＦＭ放送信号との周波数差だけ音声中間周波数Ｓから低い方に離れた周波数Ｓ−に設定する。このことによりＦＭ放送信号受信のための良好な選択特性及び隣接チャンネル抑圧特性を得ることができる。
【００３０】
図７は本発明の第三の実施の形態を示すテレビジョンチューナの回路図である。図７に示した回路が図４に示した回路と基本的に変わるところは、不平衡回路で構成したことであり、そのため混合器９を不平衡出力型とし、中間周波増幅器（ＩＦ  ＡＭＰ）１２を不平衡入力型とし、第三のトラップ回路１１を直列同調回路で構成している。
【００３１】
そして、混合器９から不平衡状態で出力された中間周波数帯の信号又は音声中間周波数の信号は中間周波同調回路１０の一端に入力される。中間周波同調回路１０は、コンデンサ１０ａと、互いに直列接続されたインダクタ１０ｂ及びコンデンサ１０ｃと、互いに直列接続された第四のバラクタダイオード１０ｅ及びコンデンサ１０ｄとからなる並列同調回路で構成され、その他端は接地されている。この中間周波同調回路１０は図４に示す中間周波同調回路２と実質的に同じ構成となっているので、その動作も同じになる。従って、動作説明は省略する。また混合器９には、インダクタ１０ｂとコンデンサ１０ｃの接続点に印加された電源電圧Ｖｂがインダクタ１０ｂを介して供給される。
【００３２】
そして中間周波同調回路１０の一端には第一のトラップ回路３が接続される。この第一のトラップ回路３の構成と動作も図４に示したそれと同じであるので、説明を省略する。そして第一のトラップ回路３の他端に中間周波増幅器１２が接続される。第二のトラップ回路１１は、互いに直列接続されたコンデンサ１１ａと第五のバラクタダイオード１１ｃとインダクタ１１ｂとコンデンサ１１ｄとからなる直列同調回路で構成されていて、その他端は接地されている。コンデンサ１１ａは直流カットも兼ねており、その一端は第一のトラップ回路３の他端に接続されている。同様にコンデンサ１１ｄも直流カットを兼ねており、その一端は接地されている。
【００３３】
そして第四のバラクタダイオード１０ｅのカソード及び第二のバラクタダイオード３ｃのカソードにはインダクタ１０ｂを介して、また第五のバラクタダイオード１１ｃのカソードにはインダクタ１１ｂを介して電圧Ｖｂが印加される。そしてバラクタダイオード１０ｅのアノード及び第二のバラクタダイオード３ｃのアノード及び第五のバラクタダイオード１１ｃのアノードには切替えスイッチ８を介してバイアス電圧Ｖｅ又は０Ｖの電圧が加わるようになっている。
【００３４】
テレビジョン信号受信時には、切替えスイッチ８によって第四及び第二のバラクタダイオード１０ｅ及び３ｃのそれぞれのアノードが接地されると共に、第五のバラクタダイオード１１ｃのアノードも接地される。このため、第五のバラクタダイオード１１ｃの両端には、電圧Ｖｂの比較的大きな電圧がそのままバイアス電圧として加わり、第五のバラクタダイオード１１ｃの両端間の容量は比較的小さな値となる。
【００３５】
一方、ＦＭ放送信号受信時には、切替えスイッチ８によって第四及び第二及び第五のバラクタダイオード１０ｅ及び３ｃ及び１１ｃの各カソードにバイアス電圧Ｖｅを印加することによって、各両端には電源Ｖｂの電圧と電源Ｖｅの電圧との差の電圧が加わる。ここで、電源Ｖｅの電圧値は電源Ｖｂの電圧値に比較的近い値（但しＶｂ＞Ｖｅ）に設定されている。従って、ＦＭ放送信号受信時には、第五のバラクタダイオード１１ｃの各両端には比較的小さなバイアス電圧が加わり、その両端間の容量は比較的大きな値となる。このように、テレビジョン信号受信時には第五のバラクタダイオード１１ｃの両端間の容量を小さく、またＦＭ放送信号受信時には大きくする。
【００３６】
ここで第三のトラップ回路においては、テレビジョン信号受信時には、コンデンサ１１ａ及び１１ｄの容量とインダクタ１１ｂのインダクタンスとを、第五のバラクタダイオード１１ｃの両端間の容量を加味しながら適宜に選ぶことによって、図５に示すように、その直列同調周波数（トラップ周波数）を他方の隣接テレビジョンチャンネルの映像中間周波数Ｐ’に設定する。
【００３７】
一方、ＦＭ放送信号受信時には、電源Ｖｅの電圧値を選ぶことにより、第五のバラクタダイオード１１ｃの両端間の容量を適宜に設定することによって、図６に示すように、その同調周波数（トラップ周波数）を、受信したＦＭ放送信号とＦＭ放送信号に隣接する他方のＦＭ放送信号との周波数差だけ音声中間周波数から離れた周波数Ｓ−に設定する。
【００３８】
前述したように、本発明においては、テレビジョン信号受信時には、中間周波同調回路２又は１０の同調周波数を少なくとも中間周波帯における映像中間周波数Ｐと音声中間周波数Ｓとの間の周波数に設定すること、及び第一のトラップ回路３のトラップ周波数を一方の隣接テレビジョンチャンネルの音声中間周波数Ｓ’に設定し、第二のトラップ回路４又は１１のトラップ周波数を他方の隣接テレビジョンチャンネルの映像中間周波数Ｐ’に設定することによりテレビジョン信号受信ための良好な選択特性及び隣接チャンネル抑圧特性を得ることができる。
【００３９】
またＦＭ放送信号受信時には、中間周波同調回路２又は１０の同調周波数を中間周波帯における音声中間周波数Ｓに設定し、また第一のトラップ回路３のトラップ周波数を受信したＦＭ放送信号と隣接する一方のＦＭ放送信号との周波数差だけ音声中間周波数Ｓから高い方に離れた周波数Ｓ＋に設定し、そして第二のトラップ回路４又は１１のトラップ周波数を、受信したＦＭ放送信号と隣接する他方のＦＭ放送信号との周波数差だけ音声中間周波数Ｓから低い方に離れた周波数Ｓ−に設定する。このことによりＦＭ放送信号受信のための良好な選択特性及び隣接チャンネル抑圧特性を得ることができる。
【００４０】
【発明の効果】
以上述べたように本発明に係わるテレビチューナは、中間周波同調回路を、テレビジョン信号受信時に、中間周波数帯における映像中間周波数と音声中間周波数との間に同調させ、またＦＭ放送受信時に、音声中間周波数に同調させるため、テレビジョン信号受信時及びＦＭ放送受信時に、それぞれに適合した選択特性を得ることができる。
【００４１】
また、テレビジョン信号受信時には第一のトラップ回路のトラップ周波数を一方の隣接テレビジョンチャンネルの音声中間周波数に設定し、第二のトラップ回路のトラップ周波数を他方の隣接テレビジョンチャンネルの映像中間周波数に設定し、ＦＭ放送受信時には、第一のトラップ回路のトラップ周波数を、受信したＦＭ放送信号に隣接する一方のＦＭ放送信号との周波数差だけ音声中間周波数から離れた周波数に設定し、第二のトラップ回路のトラップ周波数を、受信したＦＭ放送信号に隣接する他方のＦＭ放送信号との周波数差だけ音声中間周波数から離れた周波数に設定することができるため、テレビジョン信号受信時及びＦＭ放送受信時に、それぞれに適合した隣接チャンネル抑圧特性を得ることができる。
【００４２】
また、中間周波同調回路に、その同調周波数を設定するための第一のバラクタダイオードを設け、第一のトラップ回路に第一のトラップ回路のトラップ周波数を設定するための第二のバラクタダイオードを設け、第二のトラップ回路に第二のトラップ回路のトラップ周波数を設定するための第三のバラクタダイオードを設け、第一のバラクタダイオードと第二のバラクタダイオードと第三のバラクタダイオードとに共通のバイアス電圧を印加し、バイアス電圧を前記テレビジョン信号受信時とＦＭ放送受信時とで切り替えるため、テレビジョン信号受信時とＦＭ放送受信時にそれぞれ適合した選択特性及び隣接チャンネル抑圧特性を簡単に選択できる。
【００４３】
また、中間周波同調回路と第一のトラップ回路と第二のトラップ回路とをそれぞれ並列同調回路で構成し、中間周波同調回路の両端に、中間周波数帯の信号及び音声中間周波数の信号を平衡状態で入力し、中間周波同調回路の一端に第一のトラップ回路の一端を接続し、中間周波同調回路の他端に第二のトラップ回路の一端を接続し、第一のトラップ回路及び第二のトラップ回路の他端から中間周波数帯の信号及び音声中間周波数の信号を平衡状態で出力するため、混合器出力から第一のトラップ回路及び第二のトラップ回路の出力までを全て平衡回路で構成できる。
【図面の簡単な説明】
【図１】本発明によるテレビジョンチューナの一実施例を示す回路図である。
【図２】本発明によるテレビジョンチューナの伝送特性を示す図である。
【図３】本発明によるテレビジョンチューナの伝送特性を示す図である。
【図４】本発明によるテレビジョンチューナの一実施例を示す回路図である。
【図５】本発明によるテレビジョンチューナの伝送特性を示す図である。
【図６】本発明によるテレビジョンチューナの伝送特性を示す図である。
【図７】本発明によるテレビジョンチューナの一実施例を示す回路図である。
【図８】従来のテレビジョンチューナの一実施例を示す回路図である。
【図９】従来のテレビジョンチューナの伝送特性を示す図である。
【符号の説明】
１  混合器
２  中間周波同調回路
２ａ  コンデンサ
２ｂ  インダクタ
２ｃ  インダクタ
２ｄ  コンデンサ
２ｅ  第一のバラクタダイオード
３  第一のトラップ回路
３ａ  コンデンサ
３ｂ  インダクタ
３ｃ  第二のバラクタダイオード
３ｄ  コンデンサ
４  第二のトラップ回路
４ａ  コンデンサ
４ｂ  インダクタ
４ｃ  第三のバラクタダイオード
４ｄ  コンデンサ
５  中間周波増幅回路
６  コンデンサ
７  コンデンサ
８  切替えスイッチ
９  混合器
１０  中間周波同調回路
１０ａ  コンデンサ
１０ｂ  インダクタ
１０ｃ  コンデンサ
１０ｄ  コンデンサ
１０ｅ  第四のバラクタダイオード
１１  第二のトラップ回路
１１ａ  コンデンサ
１１ｂ  インダクタ
１１ｃ  第五のバラクタダイオード
１１ｄ  コンデンサ
１２  中間周波増幅回路
３１  混合器
３２  中間周波同調回路
３２ａ  コンデンサ
３２ｂ  インダクタ
３２ｃ  インダクタ
３３  第一のトラップ回路
３３ａ  コンデンサ
３３ｂ  インダクタ
３４  第二のトラップ回路
３４ａ  コンデンサ
３４ｂ  インダクタ
３５  コンデンサ
３６  コンデンサ
３７  中間周波増幅回路
【図１】
0003592161.tif 000002
【図２】
0003592161.tif 000003
【図３】
0003592161.tif 000004
【図４】
0003592161.tif 000005
【図５】
0003592161.tif 000006
【図６】
0003592161.tif 000007
【図７】
0003592161.tif 000008
【図８】
0003592161.tif 000009
【図９】
0003592161.tif 000010